(57)【要約】【課題】運送事業者等の監督下運転者の飲酒の有無を遠隔管理できるようにする。【解決手段】携帯電話接続デバイス１にはアルコールセンサ３が設けられている。携帯電話２の使用者が、携帯電話接続デバイス１を当該携帯電話に接続し、呼気を吹きかけると、アルコールセンサ３にてその使用者の呼気に含まれるアルコール量を測定する。その測定データを、携帯電話のメール機能を使い通信により、携帯電話接続デバイス１の作用により自動的に飲酒判定施設４の飲酒運転抑止警告システムへ送信。システム側で受信データにより判定、管理規定等による監督下運転者指導内容のメールを使用者携帯電話に送信。緊急時には運転中止・禁止の指示ができる。監督下運転者の飲酒運転抑止・防止効果が期待できる。【選択図】図１
2005122673.tif 000002
【特許請求の範囲】
【請求項１】
アルコール量を検出するアルコールセンサと、当該アルコールセンサにより検出されたアルコール量のデータを数値化し、携帯電話のＥ−メール機能のメール本文に自動で書き込み、指定した送信先メールアドレスに、自動でメールを送信することを特徴とする、携帯電話接続デバイス。
【請求項２】
請求項１に記載の携帯電話接続デバイスにおいて、前記アルコールセンサが、前記使用者の呼気中に含まれるアルコールを検出するものであることを特徴とする携帯電話接続デバイス。
【請求項３】
請求項２に記載の携帯電話接続デバイスにおいて、当該携帯電話に接続すると、自動で、接続携帯電話の電話番号、デバイス識別ＩＤ番号、呼気含有アルコール濃度データ数値をメール本文中に書き込み、メールを送信することを特徴とする携帯電話接続デバイス。
【請求項４】
アルコール量を検出するアルコールセンサ、および当該アルコールセンサにより検出されたアルコール量を送信するアルコール量送信手段を備えた携帯電話接続デバイスおよび携帯電話と、当該携帯電話から前記アルコール量送信手段により送信されたアルコール量を受信する受信手段、当該受信手段が受信したアルコール量に基づいて飲酒を判定する飲酒判定手段、および当該飲酒判定手段による判定結果を報知する判定結果報知手段を備えた飲酒判定施設と、を備えたことを特徴とする飲酒運転抑止警告システム。
【請求項５】
アルコール量を検出するアルコールセンサ、および当該アルコールセンサにより検出されたアルコール量を送信するアルコール量送信手段を備えた携帯電話接続デバイスおよび携帯電話と、当該携帯電話から前記アルコール量送信手段により送信されたアルコール量を受信する受信手段、当該受信手段が受信したアルコール量に基づいて飲酒を判定する飲酒判定手段、および当該飲酒判定手段による判定結果を前記携帯電話に送信する判定結果送信手段を備えた飲酒判定施設と、を備え、更に前記携帯電話が、前記判定結果送信手段から受信した前記判定結果を前記使用者に報知する判定結果報知手段を備えたことを特徴とする飲酒運転抑止警告システム。
【請求項６】
請求項５に記載の飲酒運転抑止警告システムにおいて、前記飲酒判定施設が、当該飲酒運転抑止警告システムの利用者の運行予定等を示す運行管理データが予め格納された運行管理データ記憶手段を備えたものであり、前記データ送信手段が、データを送信した日時により現在の運行状況・現在地の予定上での管理ができ、前記携帯電話の使用者が運転を続けてもよいか否かをしめす判定データを作成し、当該判定データを前記携帯電話の使用者あて送信し、報知するものであることを特徴とする飲酒運転抑止警告システム。
【発明の詳細な説明】
【技術分野】
【０００１】本発明は、飲酒運転を防止・抑止するための、携帯電話を用いた飲酒判定警告システムおよび携帯電話接続デバイスに関する。
【背景技術】
【０００２】従来の飲酒判定装置としては、呼気中のアルコール濃度を測定するアルコールセンサ内蔵のアルコールチェッカーといわれる測定器は製品化されている。携帯電話接続デバイスとしては、携帯電話に接続すると自動でインターネット上のホームページに接続させたり、Ｅメールを送信するものは製品化されている。しかしこれらを１つの目的のために一体化したデバイス、また、それを利用した判定警告システムは存在しない。
【発明の開示】
【発明が解決しようとする課題】
【０００３】近年、飲酒を原因とする交通事故や依存症が問題にされている。特に前者の場合は、社会的損失も大きくなり、警察ではしばしば飲酒運転の取り締まりを行なっているが、特にトラック等運送用車両および運転者による、飲酒運転に起因する重大事故が多発、後を絶たない。被害者およびその家族・加害者運転者の生活破綻や苦悩、運転者を監督する運送事業者にかかる賠償の増大や社会的責任といった深刻な問題を生じる場合がある。こうした事態に鑑み、監督運送事業者等が監督下各運転者に手軽に飲酒の有無をチェックさせること、その判定を遠隔で管理できることが望ましい。従来の方法は、前記チェックのために、運送事業者の施設に設置する飲酒判定機等の設備に運転者が出向く必要があり、チェックできる日時・場所が限定され実施できないことも起こりうる。
【課題を解決するための手段】
【０００４】アルコール量を検出するアルコールセンサと、当該アルコールセンサにより検出されたアルコール量のデータを数値化し、携帯電話のＥ−メール機能のメール本文に自動で書き込み、指定した送信先メールアドレスに、自動でメールを送信することを特徴とする、携帯電話接続デバイス。【０００５】前項に記載の携帯電話接続デバイスにおいて、前記アルコールセンサが、前記使用者の呼気中に含まれるアルコールを検出するものであることを特徴とする携帯電話接続デバイス。【０００６】前項に記載の携帯電話接続デバイスにおいて、当該携帯電話に接続すると、自動で、接続携帯電話の電話番号、デバイス識別ＩＤ番号、呼気含有アルコール濃度データ数値をメール本文中に書き込み、メールを送信することを特徴とする携帯電話接続デバイス。【０００７】アルコール量を検出するアルコールセンサ、および当該アルコールセンサにより検出されたアルコール量を送信するアルコール量送信手段を備えた携帯電話接続デバイスおよび携帯電話と、当該携帯電話から前記アルコール量送信手段により送信されたアルコール量を受信する受信手段、当該受信手段が受信したアルコール量に基づいて飲酒を判定する飲酒判定手段、および当該飲酒判定手段による判定結果を報知する判定結果報知手段を備えた飲酒判定施設と、を備えたことを特徴とする飲酒運転抑止警告システム。【０００８】アルコール量を検出するアルコールセンサ、および当該アルコールセンサにより検出されたアルコール量を送信するアルコール量送信手段を備えた携帯電話接続デバイスおよび携帯電話と、当該携帯電話から前記アルコール量送信手段により送信されたアルコール量を受信する受信手段、当該受信手段が受信したアルコール量に基づいて飲酒を判定する飲酒判定手段、および当該飲酒判定手段による判定結果を前記携帯電話に送信する判定結果送信手段を備えた飲酒判定施設と、を備え、更に前記携帯電話が、前記判定結果送信手段から受信した前記判定結果を前記使用者に報知する判定結果報知手段を備えたことを特徴とする飲酒運転抑止警告システム。【０００９】前項に記載の飲酒運転抑止警告システムにおいて、前記飲酒判定施設が、当該飲酒抑止警告システムの利用者の運行予定等を示す運行管理データが予め格納された運行管理データ記憶手段を備えたものであり、前記データ送信手段が、データを送信した日時により現在の運行状況・現在地の予定上での管理ができ、前記携帯電話の使用者が運転を続けてもよいか否かをしめす判定データを作成し、当該判定データを前記携帯電話の使用者あて送信し、報知するものであることを特徴とする飲酒運転抑止警告システム。
【発明の効果】
【００１０】本発明による携帯電話接続デバイスによれば、携帯電話に接続し呼気を吹きかけるだけで、複雑な電話操作をすることなく、飲酒をチェックすることができる。請求項２に記載の本発明は、請求項１に記載の携帯電話接続デバイスにおいて、前記アルコールセンサが、前記使用者の呼気中に含まれるアルコールを検出するものであることを特徴とする。【００１１】このような携帯電話接続デバイスによれば、アルコールセンサに息を吹きかけるだけで、飲酒をチェックすることができる。本発明は、前記の携帯電話接続デバイスにおいて、前記アルコールセンサが、前記使用者の呼気中に含まれるアルコールを検出し、そのデータ数値をＥメールにて自動送信することを特徴とする。【００１２】このような携帯電話接続デバイスによれば、呼気を吹きかけるだけでアルコール量データを送信し飲酒の有無をチェックすることができる。本発明は、アルコール量を検出するアルコールセンサ３、および当該アルコールセンサにより検出されたアルコール量を送信するアルコール量送信手段を備えた携帯電話接続デバイス１と、接続携帯電話２からアルコール量送信手段により送信されたアルコール量を受信する受信手段５、当該受信手段が受信したアルコール量に基づいて飲酒を判定する飲酒判定手段７、８、および該飲酒判定手段による判定結果を通知する判定結果通知手段を備えた飲酒判定施設４と、を備えたことを特徴とする飲酒運転抑止警告システムをその要旨とする。【００１３】このような飲酒運転抑止警告システムによれば、たとえ運転手が飲酒判定施設４から離れていても、携帯電話を利用することにより運転者の飲酒を判定結果受信手段によって飲酒判定施設が知ることができる。【００１４】このような飲酒運転抑止警告システムによれば、メール受信日時を利用し運行状況管理に利用することができる。請求項６に記載の本発明は、前記の飲酒運転抑止警告システムにおいて、前記飲酒量判定施設４が、当該飲酒量警告システム８に登録される運転手の運行予定データが予め格納された運行予定データ記憶手段７を備えたものであり、前記判定結果送信手段６が、前記判定結果と、前記運行予定データ記憶手段に格納された運行予定データとから、前記携帯電話の使用者である監督下運転者が運転を続けてもよいか否かをしめす判定データを作成し、当該判定データを送信するものであり、前記判定結果報知手段が、前記判定結果送信手段から受信した前記判定データを前記使用者に報知するものであることを特徴とする。【００１５】このような飲酒運転抑止警告システムによれば、メール受信日時を利用し、当該運転者が運転する車両を特定、運行予定データより大まかな車両の位置を把握できる。
【発明を実施するための最良の形態】。【００１６】本発明は、運送事業者等が監督下運転者の飲酒運転を抑止防止する目的で利用されたい。【００１７】携帯電話と携帯電話接続デバイスを用いて呼気をアルコールセンサに吹きかけるだけで、飲酒の有無を遠隔にてチェックすることができる。これを、運送事業者等の監督下運転者に携行させ、運行勤務中の適当な時間に定期的に実行するようにするが、飲酒判定施設４より、測定要求の通知メールを送るように設定することも可能である。【００１８】これらのデータを飲酒判定施設４が受け取ると、その使用者である運転者の勤務データ等をデータベースから検索する。そして勤務データとアルコール濃度とから回答を作成する。この回答は、「緊急運転禁止」「安全運転でお願いします」等から選択される。この回答が本発明の判定データに相当する。携帯電話から送信されて来たアルコール濃度が飲酒以外の原因によるものであっても、測定結果を優先し、運転者の非飲酒が何らかの方法によって確認されるまでは、この通知を優先とし、システム上での対応はしない。【００１９】本発明はこの実施形態に限定されるものではなく様々な態様で実施しうる。例えば、当該運転者の運行予定データと、メールの受信日時を、データベースよりマッチングし、運転者がデータ送信した時点の、予定上の所在位置が把握できる。また運転者所有の携帯電話が、自らの位置を基地局からの情報を元に検出可能な機能を有する機種を所有させた場合はその機能を利用し、この位置の情報も運送事業者である飲酒判定施設においての本システムを表示するディスプレイ装置等で確認できるようにしておくと便利であり、「緊急運転禁止」通知の場合の、交代運転要員の派遣にも役立つ。
【図面の簡単な説明】
【００２０】
【図１】本発明を適用した携帯電話接続デバイスを使用した飲酒抑止警告システムの概略説明図である。
【符号の説明】
【００２１】１：携帯電話接続デバイス
２：運転者所有携帯電話
３：携帯電話接続デバイス内蔵アルコールセンサ
４：飲酒判定施設・飲酒運転抑止警告システム
５：メール受信サーバ
６：メール送信サーバ
７：データベースサーバ
８：Ｗｅｂサーバ
【図１】
2005122673.tif 000003